(57)【要約】【課題】この発明は、自動販売機が販売する商品と酷似する表示ラベルに変更する作業が簡単且つ容易に行えるとともに、様々な商品と対応する複数種の表示ラベルを保持するのに使用することができる展示見本の提供を目的とする。【解決手段】展示見本１を構成するラベル保持枠２を、容量が異なる様々な商品に対応して上下方向に伸縮調節する。これにより、様々な商品と対応する複数種の表示ラベルＣ，Ｄを一つのラベル保持体２で保持する。また、見本陳列部Ａａの陳列面Ａｂに陳列された展示見本１を水平回転して、自動販売機Ａが販売する商品と対応する曲率半径の表示ラベルＣ又はＤが正面向きとなるように表示変更する。【選択図】図１０
2010244447.tif 000002
【特許請求の範囲】
【請求項１】
自動販売機の見本陳列部に陳列されるラベル保持枠の前面側と後面側に、該自動販売機が販売する商品と酷似する印刷が施された曲率半径が異なる２種類の表示ラベルを保持する展示見本であって、
前記ラベル保持枠は、前記商品の上部と対応する形状に形成された上側枠体と、該商品の下部と対応する形状に形成された下側枠体とで構成され、
前記上側枠体は、前記商品の上部と酷似する形状に形成された上側保持部と、該上側保持部の下面中央部に対し下方に向けて垂直に形成された上側支持板とで構成し、
前記下側枠体は、前記商品の下部と酷似する形状に形成された下側保持部と、該下側保持部の上面中央部に対し上方に向けて垂直に形成された下側支持板とで構成し、
前記上側保持部及び下側保持部の前側半分に、前記表示ラベルの上縁部が半円形状に湾曲した状態に保持される曲率半径が大きい大径保持部を形成し、
前記上側保持部及び下側保持部の後側半分に、前記表示ラベルの下縁部が半円形状に湾曲した状態に保持される曲率半径が小さい小径保持部を形成し、
前記上側支持板と前記下側支持板の両側縁部に、互いに係合される凹形軌条と凸形軌条を前記支持板の両側縁部に沿って上下方向に形成し、
前記上側支持板と前記下側支持板との中央部対向面に、一方の支持板の長手方向と平行して上下方向に形成された縦長の案内孔と、該案内孔に対し上下動自在に係合される係止体とを設けた
展示見本。
【請求項２】
前記案内孔の両側縁部に係止される前記係止片の両端に、該案内孔の両側縁部に形成された溝部に対し係合される突起を形成し、
前記案内孔の溝部を、該案内孔に沿って上下方向に所定間隔に隔てて複数配列した
請求項１に記載の展示見本。
【請求項３】
前記下側保持部の下面側を、前記見本陳列部の陳列面に対し水平回転自在に取り付け、
前記下側保持部と前記陳列面との対向面に、前記ラベル保持枠の前面側或いは後面側に保持された表示ラベルが正面向きとなるように回転規制する回転規制手段を設けた
請求項１又は２のいずれか一つに記載の展示見本。
【請求項４】
前記下側保持部の下面側に、前記陳列面に形成された開口部に対し水平回転自在に挿入される筒状部を設け、
前記筒状部と前記開口部との対向縁部に、前記ラベル保持枠の前面側或いは後面側が正面向きとなるとき互いに係合される凹部と凸部を設けた
請求項１〜３のいずれか一つに記載の展示見本。
【請求項５】
前記陳列面に固定される支持台の上面に、前記下側保持部の下面側に形成された筒状部が挿入固定される回転台を水平回転自在に設けた
請求項１〜４のいずれか一つに記載の展示見本。
【請求項６】
前記上側枠体及び下側枠体の大径保持部と、前記上側枠体及び下側枠体の小径保持部とを前後に分割して、
前記大径保持部を、該大径保持部に保持された表示ラベルで前記小径保持部に保持された表示ラベルの前面が覆われる位置と、該小径保持部に保持された表示ラベルの前面が露出される位置とに水平回転自在に設けた
請求項１〜５のいずれか一つに記載の展示見本。
【発明の詳細な説明】
【技術分野】
【０００１】
この発明は、例えば缶型、瓶型、ボトル型、箱型、袋型等の商品を販売する自動販売機において、その商品の選択や宣伝を目的とするために陳列される展示見本に関する。
【背景技術】
【０００２】
従来、前記展示見本としては、例えば表面に販売商品が表示された弾性シート状の商品表示体と、商品表示体を保持する表示体支持部材とを有し、表示体支持部材は、商品見本展示用ステージ上に、向きを１８０度変更可能に設置される底板部と枠状部を備え、枠状部には、その前面及び背面に、商品表示体の両縁を係止する左右１対の商品表示体係止部をそれぞれ備え、その各対の商品表示体係止部の間隔を、枠状部の前面側と背面側とで互いに違え、表示体支持部材の前面及び背面に大きさの異なった商品表示体を着脱自在に取り付けられる特許文献１の自動販売機用商品見本がある。
【０００３】
しかし、前記表示体支持部材の前面又は背面に、容量が小さい商品と対応する短尺サイズの商品表示体を取り付けた場合、枠状部の上端より商品表示体の上縁部が低いため、枠状部の上端が商品表示体の上縁部より上方に突出することになり、商品見本として展示した際の見栄えが悪くなる。
【０００４】
また、表示体支持部材の前面又は背面に、容量が大きい商品と対応する長尺サイズの商品表示体を取り付けた場合、枠状部の上端より商品表示体の上縁部が突出するだけでなく、枠状部の前面及び背面に形成された両側縁部の係止部に商品表示体の上端側両縁部が係止されないため、商品表示体の上端側を下端側と同一の曲率半径に矯正することができない。
【０００５】
つまり、商品表示体自体の弾性により、商品表示体の上端側が半楕円形状に湾曲することになり、商品と酷似する曲率半径に保持することができない。また、容量が異なる大中小の商品に対応して、表示体支持部材を少なくとも３種類製作しなければならず、商品見本の保管数及び取扱い数が増えるだけでなく、一つの商品見本に要する製作コストが高くなるという問題点を有している。
【先行技術文献】
【特許文献】
【０００６】
【特許文献１】特開２００３−１８７３０９
【発明の概要】
【発明が解決しようとする課題】
【０００７】
この発明は、自動販売機が販売する商品と酷似する表示ラベルに変更する作業が簡単且つ容易に行えるとともに、様々な商品と対応する複数種の表示ラベルを保持するのに使用することができる展示見本を提供することを目的とする。
【課題を解決するための手段】
【０００８】
この発明は、自動販売機の見本陳列部に陳列されるラベル保持枠の前面側と後面側に、該自動販売機が販売する商品と酷似する印刷が施された曲率半径が異なる２種類の表示ラベルを保持する展示見本であって、前記ラベル保持枠は、前記商品の上部と対応する形状に形成された上側枠体と、該商品の下部と対応する形状に形成された下側枠体とで構成され、前記上側枠体は、前記商品の上部と酷似する形状に形成された上側保持部と、該上側保持部の下面中央部に対し下方に向けて垂直に形成された上側支持板とで構成し、前記下側枠体は、前記商品の下部と酷似する形状に形成された下側保持部と、該下側保持部の上面中央部に対し上方に向けて垂直に形成された下側支持板とで構成し、前記上側保持部及び下側保持部の前側半分に、前記表示ラベルの上縁部が半円形状に湾曲した状態に保持される曲率半径が大きい大径保持部を形成し、前記上側保持部及び下側保持部の後側半分に、前記表示ラベルの下縁部が半円形状に湾曲した状態に保持される曲率半径が小さい小径保持部を形成し、前記上側支持板と前記下側支持板の両側縁部に、互いに係合される凹形軌条と凸形軌条を前記支持板の両側縁部に沿って上下方向に形成し、前記上側支持板と前記下側支持板との中央部対向面に、一方の支持板の長手方向と平行して上下方向に形成された縦長の案内孔と、該案内孔に対し上下動自在に係合される係止体とを設けた展示見本であることを特徴とする。
【０００９】
この発明の態様として、前記案内孔の両側縁部に係止される前記係止片の両端に、該案内孔の両側縁部に形成された溝部に対し係合される突起を形成し、前記案内孔の溝部を、該案内孔に沿って上下方向に所定間隔に隔てて複数配列することができる。
【００１０】
また、この発明の態様として、前記下側保持部の下面側を、前記見本陳列部の陳列面に対し水平回転自在に取り付け、前記下側保持部と前記陳列面との対向面に、前記ラベル保持枠の前面側或いは後面側に保持された表示ラベルが正面向きとなるように回転規制する回転規制手段を設けることができる。
【００１１】
また、この発明の態様として、前記下側保持部の下面側に、前記陳列面に形成された開口部に対し水平回転自在に挿入される筒状部を設け、前記筒状部と前記開口部との対向縁部に、前記ラベル保持枠の前面側或いは後面側が正面向きとなるとき互いに係合される凹部と凸部を設けることができる。
【００１２】
また、この発明の態様として、前記陳列面に固定される支持台の上面に、前記下側保持部の下面側に形成された筒状部が挿入固定される回転台を水平回転自在に設けることができる。
【００１３】
また、この発明の態様として、前記上側枠体及び下側枠体の大径保持部と、前記上側枠体及び下側枠体の小径保持部とを前後に分割して、前記大径保持部を、該大径保持部に保持された表示ラベルで前記小径保持部に保持された表示ラベルの前面が覆われる位置と、該小径保持部に保持された表示ラベルの前面が露出される位置とに水平回転自在に設けることができる。
【００１４】
前記展示見本は、例えば缶型、瓶型、ボトル型、箱型、袋型等の自動販売機が販売する商品と酷似する外観及び意匠に形成することができる。
【００１５】
ラベル保持枠は、例えばポリアセタール、ポリプロピレン、ポリエチレン、ポリエステル、ポリカーボネード、アクリル等のプラスチックで形成することができる。さらに、ラベル保持枠は、例えば金属や木、ガラス、セラミックス等の材質で形成することができる。
【００１６】
表示ラベルは、透光性及び柔軟性を有するプラスチック製のシートで構成することができる。また、表示ラベルの表面には、自動販売機が販売する商品と酷似する表示内容（例えば商標、文字、模様、図柄、色彩等）が印刷されている。
【発明の効果】
【００１７】
この発明によれば、ラベル保持枠を、商品と対応する曲率半径の表示ラベルが保持される上下高さに伸縮調節するので、様々な商品と対応する複数種の表示ラベルを一つのラベル保持体で保持することができる。また、一つのラベル保持枠を共通して使用するので、展示見本の保管数及び取扱い数が少なくなり、展示見本に要する製作コストの低減を図ることができる。
【００１８】
また、見本陳列部の陳列面に陳列された展示見本を、ラベル保持枠の前面側に保持された表示ラベル、或いは、後面側に保持された表示ラベルが正面向きとなるように水平回転するだけで、自動販売機が販売する商品と対応する曲率半径の表示ラベルが正面向きとなるように表示変更することができる。これにより、展示見本を陳列面から引き抜いて前後逆向きとなる状態に差し替えるような手間及び作業が省け、商品と酷似する表示ラベルに変更する作業が簡単且つ容易に行える。
【図面の簡単な説明】
【００１９】
【図１】展示見本が陳列された自動販売機を示す正面図。
【図２】ラベル保持枠の分離状態を示す正面斜視図。
【図３】ラベル保持枠の組み付け状態を示す正面図。
【図４】ラベル保持枠の組み付け状態を示す背面図。
【図５】上下枠体の重ね合わせ構造を示すＡ−Ａ線矢視断面図。
【図６】下側枠体の重ね合わせ構造を示すＢ−Ｂ線矢視断面図。
【図７】上側枠体の重ね合わせ構造を示すＣ−Ｃ線矢視断面図。
【図８】曲率半径が大きい表示ラベルを正面向けた状態を示す斜視図。
【図９】曲率半径が小さい表示ラベルを正面向けた状態を示す斜視図。
【図１０】展示見本の取り付け状態を示す縦断側面図。
【図１１】展示見本の取り付け構造を示す底面側斜視図。
【図１２】展示見本の他の取り付け構造を示す底面側斜視図。
【図１３】展示見本のその他の取り付け構造を示す底面側斜視図。
【図１４】手動で水平回転される展示見本を示す縦断側面図。
【図１５】モータで水平回転される展示見本を示す縦断側面図。
【図１６】一方の表示ラベルが水平回転される展示見本を示す縦断側面図。
【発明を実施するための形態】
【実施例】
【００２０】
図１は、本発明の一実施形態である展示見本１が陳列された自動販売機Ａを示す正面図、図２は、ラベル保持枠２の分離状態を示す正面斜視図、図３は、ラベル保持枠２の組み付け状態を示す正面図、図４は、ラベル保持枠２の組み付け状態を示す背面図、図５は、上下枠体３，４の重ね合わせ構造を示すＡ−Ａ線矢視断面図、図６は、下側枠体４の重ね合わせ構造を示すＢ−Ｂ線矢視断面図、図７は、上側枠体３の重ね合わせ構造を示すＣ−Ｃ線矢視断面図、図８は、曲率半径が大きい表示ラベルを正面向けた状態を示す斜視図、図９は、曲率半径が小さい表示ラベルを正面向けた状態を示す斜視図、図１０は、展示見本１の取り付け状態を示す縦断側面図、図１１は、展示見本１の取り付け構造を示す底面側斜視図である。
【００２１】
本発明の展示見本１は、図１に示すように、自動販売機Ａの前面に設けられた見本陳列部Ａａ内の陳列面Ａｂに陳列される。また、見本陳列部Ａａの陳列面Ａｂには、展示見本１の陳列数と対応して、平面から見て丸形状の開口部Ａｃが所定間隔に隔てて複数形成されている。また、陳列面Ａｂの下方には、蛍光灯或いは発光ダイオードからなる光源Ｂが開口部Ａｃと対向して配設されている（図１０、図１１参照）。
【００２２】
開口部Ａｃは、後述する筒状部２６の差込み及び抜取りが許容され、ラベル支持枠２の軸芯Ｘを中心として水平回転が許容される孔径に形成されている。また、開口部Ａｃの前後縁部には、後述する一対の係止部２７の挿通が許容される一対の切欠き部Ａｄが形成されている。また、開口部Ａｃの左右縁部には、後述する凸部２８の係合が許容される凹部Ａｅが形成されている。なお、凹部Ａｅは、見本陳列部Ａａを正面から見て左右に配置されている。
【００２３】
展示見本１は、図２、図８、図９、図１０に示すように、商品と酷似する表示内容が印刷された曲率半径が異なる表示ラベルＣ，Ｄを保持するラベル保持枠２と、ラベル保持枠２の前面側に保持される曲率半径が大きい表示ラベルＣと、後面側に保持される曲率半径が小さい表示ラベルＤとで構成されている。
【００２４】
ラベル保持枠２は、缶型の商品の上部と対応する形状に形成された上側枠体３と、該商品の下部と対応する形状に形成された下側枠体４とで構成されている。また、上側枠体３及び下側枠体４は、例えばポリアセタール、ポリプロピレン、ポリエチレン、ポリエステル、ポリカーボネード、アクリル等のプラスチックで形成されている。
【００２５】
上側枠体３の上側支持板３Ｂ及び下側枠体４の下側支持板４Ｂは、前記プラスチックにより半透明又は不透明に形成されている。つまり、ラベル保持枠２の前面側に保持された表示ラベルＣに、後面側に保持された表示ラベルＤの表示内容が写り込むのを防止している。
【００２６】
上側枠体３は、缶型の商品の上部（プルトップ側）と酷似する形状に形成された上側保持部３Ａと、該上側保持部３Ａの下面中央部に対し下方に向けて垂下された上側支持板３Ｂとで構成されている（図２参照）。
【００２７】
上側保持部３Ａは、上側支持板３Ｂの前面側上端部に形成された曲率半径が大きい大径保持部３Ａａと、該上側支持板３Ｂの後面側上端部に形成された曲率半径が小さい小径保持部３Ａｂとで構成されている。
【００２８】
大径保持部３Ａａ及び小径保持部３Ａｂは、平面から見て半円形状（又は円弧状）に形成されている。また、大径保持部３Ａａと小径保持部３Ａｂの前側縁部には、表示ラベルＣ，Ｄの上縁部を所定の曲率半径に湾曲した状態に保持するための保持壁３Ａｃが形成されている。
【００２９】
上側支持板３Ｂの両側縁部には、該上側支持板３Ｂの両側縁部に沿って上下方向に一対のラベル係止部３Ｂａが形成されている。
【００３０】
ラベル係止部３Ｂａは、上側支持板３Ｂの前面側両縁部に沿って形成された一対の係止溝３Ｂｂと、上側支持板３Ｂの後面側両縁部に沿って形成された一対の係止溝３Ｂｃとで構成されている。また、上側支持板３Ｂの両側端部は、大径保持部３Ａａの周縁部に沿って同一曲面に形成されている（図３〜図７参照）。  
また、係止溝３Ｂｂより内側には、上側支持板３Ｂの前面側両縁部に沿って上下方向に一対の凸形軌条３Ｂｄが形成されている。
【００３１】
つまり、前面側両縁部の係止溝３Ｂｂには、曲率半径が大きい表示ラベルＣの両側縁部が係止され、大径サイズの商品と対応する曲率半径に表示ラベルＣが矯正される。また、後面側両縁部の係止溝３Ｂｃには、曲率半径が小さい表示ラベルＤの両側縁部が係止され、小径サイズの商品と対応する曲率半径に表示ラベルＤが矯正される。
【００３２】
凸形軌条３Ｂｄは、上側支持板３Ｂの前面を後述する下側支持板４Ｂの後面に重ね合わせた際に、該下側支持板４Ｂの凹状軌条４Ｂｄに対し上下動自在に係合される。これにより、上側支持板３Ｂが下側支持板４Ｂに対しガタ付きの無い状態に合致される。
【００３３】
上側支持板３Ｂの前面側中央下端部には、後述する下側支持板４Ｂの案内孔４Ｃに対し上下動自在に係合される平面から見てＴ字状の係止体３Ｃが設けられている。  
係止体３Ｃは、上側支持板３Ｂの前面側で中央下端部に突設された支持部３Ｃａと、該支持部３Ｃａの突出側端部に形成された係止片３Ｃｂとで構成されている。
【００３４】
支持部３Ｃａは、後述する案内孔４Ｃの横幅より幅狭に形成され、案内孔４Ｃに対し前後方向（又は厚み方向）に貫通する長さに形成されている。  
係止片３Ｃｂは、案内孔４Ｃの横幅より幅広に形成され、案内孔４Ｃの長手方向と直交して支持部３Ｃａの突出側端部に形成されている。  
係止片３Ｃｂの両端には、案内孔４Ｃの前面側両側縁部に形成された一対の溝部４Ｃｂに対し係合される突起３Ｃｃが形成されている。
【００３５】
一方、下側枠体４は、缶型の商品の下部（底部側）と酷似する形状に形成された下側保持部４Ａと、該下側保持部４Ａの上面中央部に対し上方に向けて起立された下側支持板４Ｂとで構成されている（図２参照）。
【００３６】
下側保持部４Ａは、下側支持板４Ｂの前面側下端部に形成された曲率半径が大きい大径保持部４Ａａと、該下側支持板４Ｂの後面側下端部に形成された曲率半径が小さい小径保持部４Ａｂとで構成されている。
【００３７】
大径保持部４Ａａ及び小径保持部４Ａｂは、平面から見て半円形状（又は円弧状）に形成されている。また、大径保持部４Ａａと小径保持部４Ａｂの前側縁部には、表示ラベルＣ，Ｄの上縁部を所定の曲率半径に湾曲した状態に保持するための保持壁４Ａｃが形成されている。
【００３８】
下側支持板４Ｂの両側縁部には、該下側支持板４Ｂの両側縁部に沿って上下方向に一対のラベル係止部４Ｂａが形成されている。  
ラベル係止部４Ｂａは、下側支持板４Ｂの前面側両縁部に沿って形成された一対の係止溝４Ｂｂと、下側支持板４Ｂの後面側両縁部に沿って形成された一対の係止溝４Ｂｃとで構成されている。また、下側支持板４Ｂの両側端部は、前記大径保持部３Ａａの周縁部に沿って同一曲面に形成されている（図３〜図７参照）。  
また、係止溝４Ｂｂより内側には、下側支持板４Ｂの前面側両縁部に沿って上下方向に一対の凹状軌条４Ｂｄが形成されている。
【００３９】
つまり、前面側両縁部の係止溝４Ｂｂには、曲率半径が大きい表示ラベルＣの両側縁部が係止され、大径サイズの商品と対応する曲率半径に表示ラベルＣが矯正される。また、後面側両縁部の係止溝４Ｂｃには、曲率半径が小さい表示ラベルＤの両側縁部が係止され、小径サイズの商品と対応する曲率半径に表示ラベルＤが矯正される。
【００４０】
凹状軌条４Ｂｄは、下側支持板４Ｂの後面を前記上側支持板３Ｂの前面に重ね合わせた際に、該上側支持板３Ｂの凸形軌条３Ｂｄに対し上下動自在に係合される。これにより、下側支持板４Ｂが上側支持板３Ｂに対しガタ付きの無い状態に合致される。
【００４１】
下側支持板４Ｂの前面側中央部には、前記係止体３Ｃが上下動自在に係合される正面から見て縦長矩形の案内孔４Ｃが形成されている。  
案内孔４Ｃの上端側には、前記係止体３Ｃが前後方向（又は厚み方向）に差し込み及び抜き取りされる開口部４Ｃａが開口されている。  
開口部４Ｃａは、下側支持板４Ｂの前面側中央上部に配置されており、前記係止体３Ｃの係止片３Ｃｂが前後方向（又は厚み方向）に差し込み及び抜き取りが許容される大きさ及び形状に形成されている。
【００４２】
案内孔４Ｃは、下側支持板４Ｂの長手方向と平行して上下方向に形成され、下側支持板４Ｂの上端側縁部及び下端側縁部に至る長さに形成されている。また、案内孔４Ｃは、前述した係止体３Ｃの支持部３Ｃａの横幅より幅広に形成され、係止片３Ｃｂの両端を結ぶ全長より幅狭に形成されている。  
案内孔４Ｃの前面側両側縁部には、前記係止片３Ｃｂの突起３Ｃｃが係合される一対の溝部４Ｃｂが該案内孔４Ｃに沿って所定間隔に隔てて複数形成されている。
【００４３】
一対の溝部４Ｃｂは、自動販売機Ａが販売する商品の容量サイズ（例えば１６０ｍｌ、１９０ｍｌ、２５０ｍｌ、２８０ｍｌ、３５０ｍｌ、５００ｍｌ等）に対応して、案内孔４Ｃの両側縁部に沿って上下方向に複数配列されている。実施例では、１６０ｍｌ、２８０ｍｌ、１９０ｍｌ、３５０ｍｌ、２５０ｍｌ、５００ｍｌの順に、案内孔４Ｃの下端側から上端側に向けて配列されている。
【００４４】
つまり、係止片３Ｃｂの突起３Ｃｃを案内孔４Ｃの溝部４Ｃｂに係合することにより、上側枠体３と下側枠体４からなるラベル保持枠２が、前記商品と対応する高さ（又は長さ）に規制される。
【００４５】
次に、ラベル保持枠２を、容量が異なる様々な商品と対応するサイズに伸縮調節する場合、上側枠体３の上側支持板３Ｂと、下側枠体４の下側支持板４Ｂを前後方向に対向して、上側支持板３Ｂの係止体３Ｃが、下側支持板４Ｂの開口部４Ｃａと対向するように位置させる。この後、上側支持板３Ｂと下側支持板４Ｂを前後に重ね合せて、上側支持板３Ｂの係止体３Ｃを、下側支持板４Ｂの開口部４Ｃａに挿入する(図２参照)。
【００４６】
上側枠体３及び下側枠体４のいずれか一方又は両方を上下方向（又はラベル保持枠２の長さ方向）に相対移動させ、係止体３Ｃの支持部３Ｃａを、開口部４Ｃａに接続された案内孔４Ｃの上側又は下側に挿入して、上側枠体３と下側枠体４を一体的に組み付ける(図３〜図５参照)。
【００４７】
この後、係止体３Ｃの係止片３Ｃｂに形成された一対の突起３Ｃｃを、案内孔４Ｃの両側縁部に形成された一対の溝部４Ｃｂに係合する(図３〜図５参照)。つまり、上側枠体３の上側支持板３Ｂと下側枠体４の下側支持板４Ｂとのスライド位置が規制され、ラベル保持枠２が、商品に酷似する表示ラベルＣ，Ｄと対応する高さ（又は長さ）に規制される。  
これにより、様々な商品と対応して後述する複数種の表示ラベルＣ，Ｄを一つのラベル保持枠２で保持することができる(図８〜図１０参照)。
【００４８】
表示ラベルＣ，Ｄは、図８、図９に示すように、透光性及び柔軟性を有するプラスチック製のシートで構成され、自動販売機Ａが販売する缶型の商品と対応する曲率半径に湾曲可能な厚みに形成されている。また、表示ラベルＣ，Ｄの表面には、缶型の商品と酷似する表示内容（例えば商標、文字、模様、図柄、色彩等）が印刷されている。
【００４９】
曲率半径が大きい表示ラベルＣは、例えば２８０ｍｌ、３５０ｍｌ、５００ｍｌの大きさに形成された３種類のラベルとで構成されている。また、曲率半径が小さい表示ラベルＤは、例えば１６０ｍｌ、１９０ｍｌ、２５０ｍｌの大きさに形成された３種類のラベルで構成されている。  
つまり、複数種類の表示ラベルＣ，Ｄの中から、自動販売機Ａが販売する缶型の商品と対応する大きさの表示ラベルＣ，Ｄを選択して使用する。
【００５０】
下側枠体４の下側保持部４Ａの底面中央部には、図１０、図１１に示すように、前記陳列面Ａｂ下方の光源Ｂから投光される光を導光するための採光窓２５が開口されている。
【００５１】
採光窓２５の下面側周縁部には、前記開口部Ａｃの孔径と略同径で、該開口部Ａｃより下方に突出される筒状部２６が形成されている。また、筒状部２６は、前記開口部Ａｃに対する差込みが許容される外径に形成され、ラベル保持枠２が起立した状態に支持される長さに形成されている。
【００５２】
前記開口部Ａｃより下方に突出される筒状部２６の左右縁部には、該開口部Ａｃの下面側周縁部に係止される一対の係止部２７が形成されている。また、一対の係止部２７は、前記開口部Ａｃの前後縁部に形成された一対の切欠き部Ａｄと対向する位置に配置され、該切欠き部Ａｄの通過が許容される大きさ及び形状に形成されている。なお、一対の係止部２７は、ラベル保持枠２を正面から見て左右に配置されている。
【００５３】
係止部２７の上位側には、開口部Ａｃの内周縁部に対し径方向に圧接される凸部２８が形成されている。また、凸部２８は、開口部Ａｃの両側縁部に形成された凹部Ａｅに対し係止される位置に形成されている。  
凸部２８は、平面から見て滑らかな半円形状（又は半楕円形状）に形成され、該凹部Ａｅに対し係合が許容される大きさ及び形状に形成されている。
【００５４】
次に、展示見本１を、見本陳列部Ａａの陳列面Ａｂに陳列する場合、ラベル保持枠２の上側枠体３と下側枠体４を上下方向に相対移動させ、同一高さに形成された表示ラベルＣ，Ｄの保持が許容される上下高さに、ラベル保持枠２の上側枠体３と下側枠体４を伸縮調節する。
【００５５】
また、上側枠体３と下側枠体４の間を、表示ラベルＣ，Ｄの挿入が許容される間隔に拡張した際に、大径保持部３Ａａ，４Ａａの間に、曲率半径が大きい表示ラベルＣを湾曲したまま挿入し、ラベル保持枠２の前面側に表示ラベルＣを湾曲した状態に保持する。  
また、小径保持部３Ａｂ，４Ａｂの間に、曲率半径が小さい表示ラベルＤを湾曲したまま挿入して、ラベル保持枠２の後面側に表示ラベルＤを湾曲した状態に保持する(図８〜図１０参照)。
【００５６】
この後、ラベル保持枠２の筒状部２６に形成された一対の係止部２７と、陳列面Ａｂの開口部Ａｃに形成された一対の切欠き部Ａｄを一致させて、ラベル保持枠２の筒状部２６を陳列面Ａｂの開口部Ａｃに対し上方から垂直に差込む(図１１参照)。
【００５７】
次に、展示見本１を、ラベル支持枠２の軸芯Ｘを中心として、該ラベル保持枠２の前面側に保持された曲率半径が大きい表示ラベルＣ、或いは、後面側に保持された曲率半径が小さい表示ラベルＤが正面向きとなるように水平方向へ１８０度回転させる。  
また、筒状部２６の一対の係止部２７を、開口部Ａｃの下面側周縁部に係止して抜止めするとともに、係止部２７の凸部２８と開口部Ａｃの凹部Ａｅを互いに係合して回り止めする。
【００５８】
これにより、展示見本１が、見本陳列部Ａａの陳列面Ａｂに対し起立した状態に取り付けられる。また、ラベル保持枠２の前面側に保持された曲率半径が大きい表示ラベルＣ、或いは、後面側に保持された曲率半径が小さい表示ラベルＤが正面向きとなる位置に回転停止される(図８〜図１０参照)。
【００５９】
また、ラベル保持枠２の前面側に冬季限定の表示内容が印刷された表示ラベルＣ又はＤを保持し、ラベル保持枠２の後面側に夏季限定の表示内容が印刷された表示ラベルＣ又はＤを保持しておいてもよい。つまり、展示見本１を水平回転するだけで、冬季限定或いは夏季限定の表示内容（例えば冷温）が印刷された表示ラベルＣ又はＤが正面向きとなるように表示変更することができる。これにより、季節が変わっても、表示ラベルＣ又はＤを冬季用又は夏季用に差し替える必要がなく、所望する表示内容に変更する作業が簡単且つ容易に行える。
【００６０】
また、上側枠体３の上側支持板３Ｂより長尺サイズの表示ラベルＣ，Ｄを保持する場合、上側支持板３Ｂのラベル係止部３Ｂａより下方に突出する表示ラベルＣ，Ｄの下端側両側縁部がラベル自体の復元力により外側へ広がろうとする。
【００６１】
しかし、表示ラベルＣ，Ｄの両側縁部或いは下端側両側縁部に連設された折り曲げ片Ｃａ，Ｄａを、図、下側支持板４Ｂの両側端部に沿って後面側へ折り曲げておくことにより、表示ラベルＣ，Ｄの両側縁部或いは下端側両側縁部が、下側枠体４の大径保持部４Ａａより内側へ広がろうとするのを防止することができる。
【００６２】
以上のように、展示見本１を構成するラベル保持枠２の上側枠体３及び下側枠体４のいずれか一方又は両方を上下方向（又はラベル保持枠２の長さ方向）に相対移動させ、係止体３Ｃの係止片３Ｃｂに形成された一対の突起３Ｃｃを、案内孔４Ｃの両側縁部に形成された一対の溝部４Ｃｂに係合する。
【００６３】
つまり、ラベル保持枠２を、商品と対応する曲率半径の表示ラベルＣ，Ｄの保持が許容される上下高さに伸縮調節するので、様々な商品と対応する複数種の表示ラベルＣ，Ｄを一つのラベル保持体２で保持することができる。また、一つのラベル保持枠２を共通して使用するので、展示見本１の保管数及び取扱い数が少なくなり、展示見本１に要する製作コストの低減を図ることができる。
【００６４】
さらに、見本陳列部Ａａの陳列面Ａｂに陳列された展示見本１を、ラベル保持枠２の前面側に保持された表示ラベルＣ、或いは、後面側に保持された表示ラベルＤが正面向きとなるように水平回転するだけで、自動販売機Ａが販売する商品と対応する曲率半径の表示ラベルＣ又はＤが正面向きとなるように表示変更することができる。
【００６５】
これにより、展示見本１を、陳列面Ａｂの開口部Ａｃから引き抜いて前後逆向きとなる状態に差し替えるか、様々な商品に対応してラベル保持枠２の全体を伸縮調節するような手間及び作業が省け、商品と酷似する表示ラベルＣ又はＤに変更する作業が簡単且つ容易に行える。
【００６６】
図１２は、展示見本１の他の取り付け構造を示す底面側斜視図である。  
本例の取り付け構造は、ラベル保持枠２を後方へ傾けて、採光窓２５の下面側後縁部に形成された係止爪３０を、陳列部Ａａの陳列面Ａｂに形成した開口部Ａｃの後側内周縁部に係止する。また、ラベル保持枠２を起立角度に復帰させて、採光窓２５の下面側前縁部に形成された係止爪３１を、開口部Ａｃの前側内周縁部に係止する。
【００６７】
さらに、係止爪３１の両側部に形成された円弧状の係止片３２を、開口部Ａｃの内周縁部に係止する。また、採光窓２５の下面側両側部に形成された軸状の凸部３３を、開口部Ａｃの両側縁部に形成された凹部Ａｅに係合して回り止めする。  
これにより、展示見本１を、自動販売機Ａが販売する商品と対応する曲率半径の表示ラベルＣ又はＤが正面向きとなるように取り付けることができ、前記実施例と略同等の作用及び効果を奏することができる。
【００６８】
図１３は、展示見本１のその他の取り付け構造を示す底面側斜視図である。  
本例の取り付け構造は、陳列面Ａｂに形成された開口部Ａｃに、ラベル保持枠２の下側枠体４に形成された筒状部２６を差込み、開口部Ａｃの前後縁部に形成された切欠き部Ａｄに、筒状部２６の前後縁部に形成された一対の係止部３６を挿入する。また、開口部Ａｃの内周縁部に、係止部３６の近傍に形成された支持片３７を当接して筒状部２６中心に向けて変位又は可撓させる。
【００６９】
次に、ラベル保持枠２を矢印方向へ水平回動して、開口部Ａｃの下面側周縁部に係止部３６を係止し、支持片３７を該支持片３７自体の復元力により切欠き部Ａｄに係止する。また、筒状部２６の左右縁部に形成された凸部２８を、開口部Ａｃの凹部Ａｅに係合して回り止めする。  
これにより、展示見本１を、自動販売機Ａが販売する商品と対応する曲率半径の表示ラベルＣ又はＤが正面向きとなるように取り付けることができ、前記実施例と略同等の作用及び効果を奏することができる。
【００７０】
図１４は、手動で水平回転される展示見本１のその他の取り付け構造を示す縦断側面図である。  
本例の取り付け構造は、支持台４０の下面側に、陳列面Ａｂの開口部Ａｃに差込み固定される筒状部４１が形成されている。また、支持台４０の上面側に、後述する回転台４３が水平回転自在に取り付けられる筒状支持部４２が形成されている。
【００７１】
また、回転台４３の上面側には、陳列面Ａｂの開口部Ａｃと同一の大きさ及び形状に形成され、ラベル保持枠２の筒状部２６が差込み固定される開口部４３が形成されている。
【００７２】
つまり、支持台４０の筒状部４１を、陳列面Ａｂの開口部Ａｃに差込み固定し、ラベル保持枠２の筒状部２６を、回転台４３の開口部４４に差込み固定する。  
この後、展示見本１が取り付けられた回転台４３を、作業者の手で水平方向へ１８０度回転させ、ラベル保持枠２の前面側に保持された表示ラベルＣ、或いは、後面側に保持された表示ラベルＤが正面向きとなるように表示変更する。
【００７３】
これにより、自動販売機Ａが販売する商品と対応する曲率半径の表示ラベルＣ又はＤが正面向きとなるように表示変更することができ、前記実施例と略同等の作用及び効果を奏することができる。
【００７４】
図１５は、モータ４５で水平回転される展示見本１のその他の取り付け構造を示す縦断側面図である。  
本例の取り付け構造は、前記図１４に示す取り付け構造と略同一の構造を有しており、相違する構造を説明すると、支持台４０の側部に、回転台４３を水平回転するためのモータ４５が取り付けられている。また、モータ４５の軸端に固定されたギャ４６は、回転台４３の下面側周縁部に形成された環状のラック４７に噛合されている。
【００７５】
つまり、展示見本１が取り付けられた回転台４３を、モータ４５で水平方向へ１８０度回転させ、ラベル保持枠２の前面側に保持された表示ラベルＣ、或いは、後面側に保持された表示ラベルＤが正面向きとなるように表示変更する。  
これにより、自動販売機Ａが販売する商品と対応する曲率半径の表示ラベルＣ又はＤが正面向きとなるように表示変更することができ、前記実施例と略同等の作用及び効果を奏することができる。
【００７６】
図１６は、表示ラベルＣを表示ラベルＤが覆われる位置に水平回転される展示見本１のその他の取り付け構造を示す縦断側面図である。  
本例の取り付け構造は、上側枠体３の上側保持部３Ａが、大径保持部３Ａａと小径保持部３Ａｂとに軸芯Ｘを中心として前後に分割されている。また、大径保持部３Ａａの軸芯Ｘに形成された孔部４８に、上側支持板３Ｂの上端に形成された軸部４９が水平回転自在に挿通されている。
【００７７】
下側枠体４の下側保持部４Ａが、小径保持部４Ａｂより大径に形成された環状の大径保持部４Ａａと、大径保持部４Ａａより小径に形成された環状の小径保持部４Ａｂに分割されている。また、大径保持部４Ａａは、小径保持部４Ａｂの外周面に対し水平回転自在に取り付けられている。
【００７８】
つまり、支持台４０の筒状部４１を、陳列面Ａｂの開口部Ａｃに差込み固定し、ラベル保持枠２の筒状部２６を、回転台４３の開口部４４に差込み固定する。  
また、大径保持部３Ａａ，４Ａａを、該大径保持部３Ａａ，４Ａａに保持された表示ラベルＣで前記小径保持部３Ａｂ，４Ａｂに保持された表示ラベルＤの前面が覆われる仮想線位置と、該小径保持部３Ａｂ，４Ａｂに保持された表示ラベルＤの前面が露出される実線位置とに軸芯Ｘを中心として作業者の手で水平回転させる。
【００７９】
これにより、自動販売機Ａが販売する商品と対応する曲率半径の表示ラベルＣ又はＤが正面向きとなるように表示変更することができ、前記実施例と略同等の作用及び効果を奏することができる。
【００８０】
また、容量が異なる様々な商品に対応してラベル保持枠２の全体を上下方向に伸縮調節するので、様々な商品と対応する複数種の表示ラベルＣ，Ｄを一つのラベル保持体２で保持することができる。
【００８１】
また、回転台４３を作業者の手で水平回転するか、大径保持部４Ａａ或いは回転台４３をモータ４５で水平回転する等して、表示ラベルＣ又はＤが正面向きとなるように表示変更してもよい。
【００８２】
なお、前記陳列面Ａｂに支持台４０を固定する構造と、回転台４３の開口部４４にラベル保持枠２を固定する構造は、前記実施例の構造と同一であるのでその詳細な説明を省略する。
【００８３】
この発明の構成と、前記実施形態との対応において、
この発明の回転規制手段は、実施例の凹部Ａｅと、凸部２８，３３に対応するも、
この発明は、上述の実施形態の構成のみに限定されるものではなく、請求項に示される技術思想に基づいて応用することができ、多くの実施の形態を得ることができる。
【００８４】
前記ラベル保持枠の他の取り付け方法として、例えばマグネット、両面粘着テープ、面ファスナー、ネジ、ボルト等で固定してもよい。
【産業上の利用可能性】
【００８５】
本発明の展示見本の構成は、実施例の缶型の商品以外に、例えば瓶型、ボトル型、箱型等の自動販売機が販売するその他の商品と酷似する展示見本にも適用することができる。
【符号の説明】
【００８６】
Ａ…自動販売機
Ａａ…見本陳列部
Ａｂ…陳列面
Ａｃ…開口部
Ａｄ…切欠き部
Ａｅ…凹部
Ｃ，Ｄ…表示ラベル
１…展示見本
２…ラベル保持枠
３…上側枠体
３Ａ…上側保持部
３Ａａ…大径保持部
３Ａｂ…小径保持部
３Ｂ…上側支持板
３Ｂａ…ラベル係止部
３Ｂｂ，３Ｂｃ…係止溝
３Ｂｄ…凸形軌条
３Ｃ…係止体
３Ｃｃ…突起
４…下側枠体
４Ａ…下側保持部
４Ａａ…大径保持部
４Ａｂ…小径保持部
４Ｂ…下側支持板
４Ｂａ…ラベル係止部
４Ｂｂ，４Ｂｃ…係止溝
４Ｂｄ…凹形軌条
４Ｃ…案内孔
４Ｃａ…開口部
４Ｃｂ…溝部
２５…採光窓
２６…筒状部
２７…係止部
２８…凸部
３０…係止爪
３１…係止爪
３２…係止片
３３…凸部
３６…係止部
３７…支持片
４０…支持台
４１…筒状部
４２…筒状支持部
４３…回転台
４４…開口部
４５…モータ
４６…ギャ
４７…ラック
４８…孔部
４９…軸部
【図１】
2010244447.tif 000003
【図２】
2010244447.tif 000004
【図３】
2010244447.tif 000005
【図４】
2010244447.tif 000006
【図５】
2010244447.tif 000007
【図６】
2010244447.tif 000008
【図７】
2010244447.tif 000009
【図８】
2010244447.tif 000010
【図９】
2010244447.tif 000011
【図１０】
2010244447.tif 000012
【図１１】
2010244447.tif 000013
【図１２】
2010244447.tif 000014
【図１３】
2010244447.tif 000015
【図１４】
2010244447.tif 000016
【図１５】
2010244447.tif 000017
【図１６】
2010244447.tif 000018